(57)【要約】      （修正有）【課題】小さなスイッチボタンの表示で複数のスイッチ操作部を画面表示していても、指又はペンなどによる入力操作が簡単且つ確実にできるようにする。【解決手段】火災発生階平面図６２などの防災情報と共に複数のスイッチ操作部７０−１〜７０−１５を画面上に表示した防災表示装置であって、表示画面６０に対する指又はペンなどの近接を検出して近接座標位置を取得する近接検出部と、近接座標位置を中心に所定領域に存在するスイッチ操作部７０−４を含む画像を拡大表示部７２に拡大表示する拡大表示処理部とを備える。【選択図】図５
2010092331.tif 000002
【特許請求の範囲】
【請求項１】
防災情報と共に複数のスイッチ操作部を画面上に表示した防災表示装置に於いて、
前記画面に対する指又は操作部材の近接を検出して近接座標位置を取得する近接検出部と、
前記近接座標位置を中心に所定領域に存在するスイッチ操作部を含む画像を拡大表示する拡大表示処理部と、
を備えたことを特徴とする防災表示装置。
【請求項２】
請求項１記載の防災表示装置に於いて、前記拡大表示処理部は、前記近接検出部により取得した近接座標位置が所定時間停止し且つ通常表示中の場合に、前記近接座標位置を中心に所定領域に存在するスイッチ操作部を含む画像を拡大表示することを特徴とする防災表示装置。
【請求項３】
請求項１記載の防災表示装置に於いて、前記拡大表示処理部は、拡大表示後に前記近接検出部により取得した近接座標位置が拡大領域に含まれ且つ所定時間停止した場合に、前記拡大表示を通常表示に戻すことを特徴とする防災表示装置。
【請求項４】
請求項２記載の防災表示装置に於いて、前記拡大表示処理部は、拡大表示から所定時間経過した場合に、前記拡大表示を通常表示に戻すことを特徴とする防災表示装置。
【請求項５】
請求項１記載の防災表示装置に於いて、前記拡大表示処理部は、拡大表示後にスイッチ操作部の操作を判別した場合に、前記拡大表示を通常表示に戻すことを特徴とする防災表示装置。
【請求項６】
請求項１記載の防災表示装置に於いて、前記拡大表示処理部は、前記近接検出部により取得した近接座標位置に停止しているときに拡大表示の倍率を継続して変更することを特徴とする防災表示装置。
【発明の詳細な説明】
【背景技術】
【０００１】
本発明は、火災、ガス漏れ等の防災情報と共に複数のスイッチ操作部を画面上に表示した防災表示装置に関する。
【技術分野】
【０００２】
従来、火災、ガス漏れなどの異常を監視する防災監視システムにあっては、受信機から建物内の警戒区域に引出された信号線に火災感知器、ガス漏れ検出器などを接続し、例えば火災信号を受信した際に、火災警報を出すようにしている。
【０００３】
受信機には、防災表示装置としてタッチパネル付きのカラー液晶表示装置が設けられており、受信機で火災警報が出された場合には、火災発生階の平面図などの防災情報と共に火災確定、消防機関への通報、避難誘導など火災対処操作に伴う複数のスイッチ操作部が画面表示される。
【０００４】
係員は防災表示装置の表示から火災発生場所を認識し、火災発生現場に急行して火災を確認し、この場合、非火災であった場合の混乱を回避するため、いったん受信機の音響警報、及び火災発生場所での地区音響警報は停止しておく場合もある。
【０００５】
係員が火災発生場所に出向いて火災を確認した場合には、受信機に設けている火災断定スイッチを操作する。火災断定スイッチを操作すると、受信機の操作で停止状態にある音響警報及び地区音響警報が解除されて再度鳴動する。
【０００６】
また火災発生場所に出向いて火災を確認した際に、発見が早く火災が小さい場合には、消火器を使用して初期消火をすることになる。一方、火災が拡大して初期消火が困難な場合には、消防署への通報及び避難誘導のための非常放送を行う。更に負傷者がでているような場合には、負傷者の安全確保と同時に救急車の出動要請を行うことになる。
【０００７】
このように受信機で火災警報が出された場合、火災確認、消火活動、消防署への通報といった様々な行動を係員が迅速且つ的確に行うことが求められる。
【特許文献１】特開平８−２８７３７１号公報
【特許文献２】特開平１０−２１４３９０号公報
【発明の開示】
【発明が解決しようとする課題】
【０００８】
しかしながら、このような従来の受信機に設けたタッチパネル付きの防災表示装置にあっては、画面上に表示するスイッチ操作部が多くなると、一つ一つのスイッチボタンの表示が小さくなり、指又はペンなどによる入力操作がしづらいという問題がある。
【０００９】
この問題を解消するため、火災受信といった１つの事象で処理する機能を集約して画面を階層化し、画面上に配置するスイッチの数を制限することで、スイッチボタンの表示を大きくし、入力操作が簡単且つ確実にできるようにしているが、スイッチ操作のために画面切替えを必要とし、階層化により画面表示処理が複雑化し、スイッチ操作に時間がかかる問題がある。
【００１０】
本発明は、小さなスイッチボタンの表示で複数のスイッチ操作部を画面表示していても、指又はペンなどによる入力操作が簡単且つ確実にできるようにする防災表示装置を提供することを目的とする。
【課題を解決するための手段】
【００１１】
本発明は、防災情報と共に複数のスイッチ操作部を画面上に表示した防災表示装置に於いて、
画面に対する指又は操作部材の近接を検出して近接座標位置を取得する近接検出部と、
近接座標位置を中心に所定領域に存在するスイッチ操作部を含む画像を拡大表示する拡大表示処理部と、
を備えたことを特徴とする。
【００１２】
ここで、拡大表示処理部は、近接検出部により取得した近接座標位置が所定時間停止し且つ通常表示中の場合に、近接座標位置を中心に所定領域に存在するスイッチ操作部を含む画像を拡大表示する。
【００１３】
拡大表示処理部は、拡大表示後に近接検出部により取得した近接座標位置が拡大領域に含まれ且つ所定時間停止した場合に、拡大表示を通常表示に戻す。
【００１４】
また、拡大表示処理部は、拡大表示から所定時間経過した場合に、拡大表示を通常表示に戻すようにしても良い。
【００１５】
更に、拡大表示処理部は、拡大表示後にスイッチ操作部の操作を判別した場合に、拡大表示を通常表示に戻すようにしても良い。
【００１６】
更に、拡大表示処理部は、指又は操作部材の近接を継続して検出しているあいだ画面の拡大表示の表示倍率を継続して変更するようにしても良い。
【発明の効果】
【００１７】
本発明によれば、画面に指又はペンなどを近づけると、スイッチボタンなどのスイッチ操作部が拡大表示され、小さなスイッチ操作部を画面に複数並べて配置していても、操作する際の拡大表示により見やすく押し易くし、確実に操作できる。
【００１８】
また、小さなスイッチ操作部を画面に複数配置できることで、画面を階層化して各画面のスイッチ操作部を大きくする必要がなく、また、画面を階層化した場合でも、階層数を少なくすることができる。
【００１９】
また、小さなスイッチ操作部を画面に複数配置できることで、同時に火災発生階平面図のような防災情報を表示する場合、画面における防災情報の表示スペースを大きく確保することができる。
【発明を実施するための最良の形態】
【００２０】
図１は本発明による防災表示装置を備えた受信機の説明図である。図１において、受信機１０は前面パネル１２の上部中央に火災代表灯１４を設けており、その両側に地区表示部１６を設けている。
【００２１】
火災代表灯１４の下側には本発明による防災表示装置１８を設けている。防災表示装置１８には、火災時に火災発生階平面図などの防災情報と共に火災受信に伴う各種の操作に用いるスイッチボタン表示を用いた複数のスイッチ操作部が表示される。防災表示装置１８の左側にはスピーカ開口２０が設けられ、その下側に操作部２２とプリンタ２４が設けられている。
【００２２】
図２は図１の受信機に設けている防災表示装置１８を取り出してパネル構造を示した組立分解図である。図２において、防災表示装置１８は、近接検出パネル５４、タッチスイッチパネル５６及びカラー液晶表示パネル５８で構成される。
【００２３】
近接検出パネル５４は内側の表示領域を矩形に繰り貫いた枠体構造であり、上部枠体５４ａ及び右側枠体５４ｂの内側に一定間隔で複数の赤外線発光素子を埋め込み配置しており、これに対向する下部枠体５４ｃ及び左側枠体５４ｄの内側には発光側と同じ一定間隔で受光素子を埋め込み配置している。
【００２４】
このため、近接検出パネル５４の上側枠体５４ａ及び右側枠体５４ｂからは、矢印で示すように下向き及び横向きに赤外線発光素子からの光が照射され、パネル開口に光マトリクスを形成している。近接検出パネル５４の上側枠体５４ａ及び右側枠体５４ｂに一定間隔で配置している赤外線発光素子の発光駆動は、常時発光駆動であってもよいし、周期的な操作発光駆動であってもよい。
【００２５】
このような近接検出パネル５４を介してカラー液晶表示パネル５８側に指を近付けると、近接検出パネル５４の開口に形成している光マトリクスの部分を指またはペン先が遮ることで、近接位置に対応した下部枠体５４の受光素子に対する光の入射が断たれることでＸ座標位置が検出でき、同時に左側枠対５４ｃに配列している受光素子に対する光の入射が断たれることでＹ軸座標位置が検出できる。
【００２６】
近接検出パネル５４に続いてはタッチスイッチパネル５６が設けられる。タッチスイッチパネル５６としては、抵抗膜方式または静電容量方式などを使用しており、カラー液晶表示パネル５８の表示面に密着して配置され、カラー液晶表示パネル５８により表示しているスイッチ操作部に対応するタッチパネル５６の位置を押すと、タッチ位置を示す座標位置検出信号が得られる。
【００２７】
なお図２の実施形態にあっては、表示パネルとして液晶表示パネル５８を使用しているが、これ以外にプラズマ表示パネルやＣＲＴなどを用いてもよい。
【００２８】
図３は図１の受信機を用いた防災監視システムのブロック図である。図３において、受信機１０からは感知器回線２６−１〜２６−ｎが引き出され、それぞれオンオフ型の火災感知器２８を複数接続している。火災感知器２８は火災に伴う煙や熱を検出すると発報し、発報電流を感知器回線に流すことで火災検出信号を受信機１０に送信する。
【００２９】
また受信機１０からは発信機回線３０が引き出され、複数の火災発信機３２を接続している。発信機３２は押し釦スイッチを備え、火災時に押し釦スイッチを押すと発報電流が発信機回線３０に流れ、火災発信機３２の操作による火災検出信号を受信機１０に送信する。
【００３０】
受信機１０にはＣＰＵ３４が設けられ、ＣＰＵ３４に対し、感知器回線２６−１〜２６−ｎを引き出した受信回路部３６−１〜３６−ｎ、発信機回線３０を引き出した受信回路部３８、本発明の防災表示装置１８、図１に示した操作部２２、図１の火災表示灯１４、地区表示灯１６、更にスピーカを含む警報部４０、外部に対し火災検出信号を移報する移報部４２が設けられている。
【００３１】
ＣＰＵ３４には、プログラムの実行により実現される機能として、防災監視部４６と防災表示処理部４８が設けられている。防災表示処理部４８には更に、近接検出部５０と拡大表示処理部５２が設けられている。
【００３２】
防災監視部４６は受信回路部３６−１〜３６−ｎ及び受信回路部３８のいずれかによる火災検出信号を受信した際に、図１に示した火災代表灯１４を点灯すると共に、スピーカから火災警報音を出し、防災表示装置１８に対し火災発生を示す防災情報として、火災発生場所の地区名と共に火災発生階の平面図を表示し、同時に複数のスイッチ釦を配列したスイッチ操作部を表示させる。
【００３３】
防災表示処理部４８に設けている近接検出部５０は、防災表示装置１８における画面に対する指またペンなどの操作部材の近接が行われると、その近接位置に対応した受光素子の検出信号が得られることから、この受光信号に基づき近接座標位置（ｘ，ｙ）を取得する。
【００３４】
拡大表示処理部５２は、近接検出部５０で取得した近接座標位置（ｘ，ｙ）を中心に、所定領域に存在するスイッチ操作部を含む画像を拡大表示する。ここで拡大表示処理部５２による拡大表示は、近接検出部５０により取得した近接座標位置（ｘ，ｙ）が所定時間停止し、且つ現在の状態が通常表示中の場合に、近接座標位置（ｘ，ｙ）を中心に所定領域に存在するスイッチ操作部を含む画像を拡大表示する。
【００３５】
これによってスイッチ操作を意図せずに画面に指や他の物を近付けたときの近接検出部５０による近接座標位置の検出による拡大表示の誤動作を防止するようにしている。
【００３６】
また拡大表示処理部５２は、近接座標位置（ｘ，ｙ）を中心にスイッチ操作部を含む画像を拡大表示した後、一定の条件が成立したときに、拡大表示を通常表示に戻すようにしている。この拡大表示を通常表示に戻す処理としては、例えば次のいずれかが行われる。
（１）拡大表示後に近接検出部により取得した近接座標位置が拡大領域に含まれ、且つ所定時間停止した場合に、拡大表示を通常表示に戻す。これは拡大表示の部分に指を近付けることで通常表示に戻す処理となる。
（２）拡大表示から所定時間経過したときに、拡大表示を通常表示に戻す。
（３）拡大表示後にスイッチ操作部の操作を判別した場合に、拡大表示を通常表示に戻す。
【００３７】
なお拡大表示を通常表示に戻す方法としては、前記（１）〜（３）に限定されず、例えば画面の特定位置に触れることで通常位置に戻したり、拡大表示しているスイッチ部位とは別のスイッチ部位に触れることで、以前の拡大表示を通常表示に戻し、最新の近接座標位置について、そこを拡大表示するなど、適宜の手法を用いることが可能である。
【００３８】
図４は本発明の防災表示装置による火災受信時の表示画面を示した説明図である。図４において、防災表示装置１８の表示画面６０の下側及び右側に配置した操作表示領域６４を除いた表示領域に、例えば火災発生階平面図６２を表示している。操作表示領域６４には複数のスイッチ釦の表示によるスイッチ操作部７０−１〜７０−１５が用途別などに分けて配列されている。
【００３９】
このような表示画面６０において、例えば下側の操作表示領域６４に表示しているスイッチ操作部７０−１〜７０−６の中のスイッチ操作部７０−４を操作しようとして指を表示画面６０に近付けると、図２に示した近接検出パネル５４の枠内に形成している光マトリクスの部分を指が遮ったときに、縦方向及び横方向の光の遮断に伴う受光素子からの検出信号が得られ、図３に示した近接検出部５０において、近接座標位置（ｘ，ｙ）が検出される。
【００４０】
このように近接座標位置（ｘ，ｙ）が検出されると、図５に示すように、近接座標位置（ｘ，ｙ）を中心に、例えば楕円状の拡大表示７２となるような拡大表示が行われ、拡大表示７２の中には、操作しようとしたスイッチ操作部７０−４が含まれて同時に拡大表示されており、通常表示の状態では小さなスイッチ操作部であったものが、拡大表示により大きくなり、スイッチ操作部７０−４を誤りなく簡単且つ容易に、確実に操作することができる。
【００４１】
図６は本発明による防災表示処理の実施形態を示したフローチャートであり、図３に示した受信機の防災表示処理部４８を実現するプログラムの実行処理内容を示している。
【００４２】
図６において、ステップＳ１において指またはペンなどによる表示画面に対する近接検知の有無を判別しており、近接検知を判別すると、ステップＳ２に進み、近接検出座標（ｘ，ｙ）を取得する。
【００４３】
続いてステップＳ３で通常表示中か否かチェックし、通常表示中であれば、ステップＳ４に進み、ステップＳ２で取得された近接検出座標（ｘ，ｙ）が一定時間停止しているか否か、即ち一定時間同じ近接検出座標が得られているか否か判別する。一定時間停止が判別されると、ステップＳ５に進み、近接検出座標（ｘ，ｙ）を中心に、予め定めた領域の画像を拡大表示する。ステップＳ４で一定時間停止が判別されなければ、ステップＳ６で通常表示を継続する。
【００４４】
一方、ステップＳ３で通常表示中でなかった場合、即ち拡大表示中であることが判別されると、ステップＳ７に進み、ステップＳ２で検知した近接検出座標（ｘ，ｙ）が現在表示している拡大領域に含まれるか否か判別する。
【００４５】
拡大領域に含まれていれば、ステップＳ８に進み、一定時間停止か否か判別され、一定時間停止が判別されると、ステップＳ９で拡大表示を通常表示に戻す。ステップ８で一定時間停止が判別されるまでは、ステップＳ１０の拡大表示を継続する。
【００４６】
このような図６の防災表示処理によれば、図４に示す火災検出時の表示画面６０におけるスイッチ操作部７０−１〜７０−１５のいずれかに指を近付けると、指の近接が検知され、近接検出座標を中心に、例えば図６に示すようにスイッチ操作部７０−４を含む拡大表示７２が行われる。
【００４７】
拡大表示７２を行った後、元の通常表示に戻したい場合には、拡大表示７２の部分に指を近付けることで、再度、近接検出座標が検出されると、拡大表示７２が通常表示に戻る。なお拡大表示領域７２に指を触れて通常表示に戻す際、スイッチ操作部７０−４に触れると、再度スイッチ操作が行われることになるが、スイッチ操作が既に行われている場合には、２回目のスイッチ操作については、これを無視するように処理する必要がある。
【００４８】
図７は本発明による防災表示処理の他の実施形態を示したフローチャートであり、近接検知による拡大表示は図６の実施形態と同じであるが、拡大表示後の拡大表示の通常表示への戻しを、タイマにより拡大表示から一定時間経過したときに自動的に行うようにしている。
【００４９】
図７において、ステップＳ１１〜Ｓ１６の近接検出座標を検出した場合の拡大表示は、図６のステップＳ１〜Ｓ６と同じである。これに対し拡大表示後については、ステップＳ１７で拡大表示から一定時間経過を判別すると、ステップＳ１８に進み、拡大表示を通常表示に戻し、それまではステップＳ１９で拡大表示を継続する。
【００５０】
図８は本発明による防災表示処理の他の実施形態を示したフローチャートであり、この実施形態にあっては、拡大表示後のスイッチ操作を判別して拡大表示を通常表示に戻すようにしたことを特徴とする。
【００５１】
図８において、ステップＳ２１〜Ｓ２６の処理は図６のステップＳ１〜Ｓ６と同じであり、近接検出座標を取得して、そこを中心に所定領域の拡大表示を行っている。拡大表示後については、ステップＳ２７で拡大表示領域に設けているスイッチ操作の有無を判別しており、スイッチ操作があるまではステップＳ２９で拡大表示を継続しているが、スイッチ操作ありを判別すると、ステップＳ２８で拡大表示を通常表示に戻すようにしている。
【００５２】
なお上記の実施形態は火災を監視する受信機１０に設けた防災表示装置１８を例に取るものであったが、ガス漏れ検出器を接続した受信機１０としてもよく、その場合には図１の火災代表灯１４に代えてガス漏れ代表灯が設けられることになる。
【００５３】
また上記の実施形態にあっては、図2の近接検出パネル５４により液晶表示パネル５８の表示画面の全域における近接を検出して拡大表示しているが、図４に示すように、表示画面６０に設けるスイッチ操作部７０−１〜７０−１５は例えば下側と左側の操作表示領域６４に限定されていることから、この操作表示領域６４に対応した近接検出パネル５４の光マトリクスの近接位置検出のみを有効とし、火災発生階平面図６２を表示している防災表示領域については近接検出を行わず、操作表示領域６４に対する近接検出のみについて拡大表示を行うようにしても良い。
【００５４】
また、拡大表示処理部５２は、近接検出部５０で取得した近接座標位置（ｘ，ｙ）に留まる時間を計測して、所定時間継続して指などが同じ位置に存在する場合は、画像の拡大表示率を自動的に上げていき、近接位置をより見やすく表示するよう複数段階で拡大表示できるようにしても良い。
【００５５】
また本発明はその目的と利点を損なうことのない適宜の変形を含み、更に上記の実施形態に示した数値による限定は受けない。
【図面の簡単な説明】
【００５６】
【図１】本発明による防災表示装置を備えた受信機の説明図
【図２】本発明による防災表示装置のパネル構造を示した組立分解図
【図３】図１の受信機を用いた防災監視システムのブロック図
【図４】本発明の情報表示装置による火災受信時の表示画面を示した説明図
【図５】図４の表示画面のスイッチ操作部に指を近づけて場合の拡大表示を示した説明図
【図６】本発明による防災表示処理の実施形態を示したフローチャート
【図７】本発明による防災表示処理の他の実施形態を示したフローチャート
【図８】本発明による防災表示処理の他の実施形態を示したフローチャート
【符号の説明】
【００５７】
１０：受信機
１２：前面パネル
１４：火災代表灯
１６：地区表示部
１８：防災表示装置
２０：スピーカ開口
２２：操作部
２４：プリンタ
２６−１〜２６−ｎ：感知器回線
２８：火災感知器
３０：発信機回線
３２：火災発信機
３４：ＣＰＵ
３６−１〜３６−ｎ、３８：受信回路部
４０：警報部
４２：移報部
４６：防災監視部
４８：防災表示処理部
５０：近接検出部
５２：拡大表示処理部
５４：近接検出パネル
５６：タッチスイッチパネル
５８：液晶表示パネル
６０：表示画面
６２：火災発生階平面図
６４：操作表示領域
７０−１〜７０−１５：スイッチ操作部
７２：拡大表示部
【図１】
2010092331.tif 000003
【図２】
2010092331.tif 000004
【図３】
2010092331.tif 000005
【図４】
2010092331.tif 000006
【図５】
2010092331.tif 000007
【図６】
2010092331.tif 000008
【図７】
2010092331.tif 000009
【図８】
2010092331.tif 000010